(57)【要約】【課題】  偽造紙葉類か否かの判定に役立ち、かつ、盗難の抑止効果もある記番号付き紙葉類用の防犯管理システムを提供すること。【解決手段】  サーバー装置２０と複数のクライアント装置１０とが通信回線３０によって通信可能に接続されており、サーバー装置２０は各クライアント装置１０から紙幣の記番号を受信する都度に既登録の記番号と照合して一致した場合には偽造紙幣であると判定し、また盗難紙葉類として登録された記番号と照合して一致した場合には盗難紙幣であると判定して、クライアント装置１０へ異常発生情報を送信する。また、サーバー装置２０と警察とを通信回線で接続し、異常発生情報を警察にも通報する。また、通信回線を、インターネット回線、有線電気通信回線、光通信回線および衛星通信回線のいずれかから形成する。【選択図】        図１
2005135151.tif 000002
【特許請求の範囲】
【請求項１】
サーバー装置と複数のクライアント装置とが通信回線によって通信可能に接続されており、
各クライアント装置は、それぞれ異なる識別番号が付されており、少なくとも記番号付き紙葉類の記番号および特定記番号消去指令ならびに盗難された紙葉類の記番号をサーバー装置へ送信可能な情報送信部と、サーバー装置からの情報を受信して出力可能な情報出力部とを具備し、
サーバー装置は、各クライアント装置から紙葉類の記番号を受信した場合には当該記番号を識別番号と関連付けて紙葉類登録部へ登録し、かつ、特定記番号消去指令を受信した場合には当該紙葉類登録部から該当する記番号を消去する紙葉類登録制御部と、盗難紙葉類記番号を受信した場合には紙葉類登録部の該当する記番号を消去するとともに当該記番号を識別番号と関連付けて盗難紙葉類登録部へ登録する盗難紙葉類制御部と、紙葉類の記番号を受信する都度に紙葉類登録部に登録されている総べての記番号と照合して一致するものがある場合または盗難紙葉類登録部の総べての記番号と照合して一致するものがある場合にはクライアント装置へ異常発生情報を送信する異常発生判定部と、を具備したことを特徴とする記番号付き紙葉類用の防犯管理システム。
【請求項２】
前記サーバー装置と警察とを通信回線で接続し、異常発生情報を警察にも通報する構成とした請求項１記載の記番号付き紙葉類用の防犯管理システム。
【請求項３】
前記通信回線が、インターネット回線、有線電気通信回線、光通信回線および衛星通信回線のいずれかから形成されている請求項１又は２記載の記番号付き紙葉類用の防犯管理システム。
【発明の詳細な説明】
【技術分野】
【０００１】
本発明は、記番号付き紙葉類（紙幣，有価証券等）用の防犯管理システムに関する。
【背景技術】
【０００２】
記番号付き紙葉類としては、紙幣や有価証券（例えば公社債・株券）などが挙げられる。いずれも偽造問題には悩まされており、従来より紙幣等の真贋を判定する技術が種々提案されている。
【０００３】
例えば、紙幣・有価証券等の特殊原稿に使用されている磁気インクを検出する磁気インク検出手段と、この磁気インク検出手段による検出結果により原稿が特殊原稿か否かを判別する判別手段とを具備した特殊原稿判別装置が提案されている（例えば、特許文献１参照。）。
【０００４】
また、紙幣が有する特徴情報を統計処理して少数の特徴量に集約し、これを用いて真偽判別を行う紙葉類の識別方法および装置が提案されている（例えば、特許文献２参照。）。
【０００５】
しかし、現今では一般の印刷・複写技術も発達しており、また磁気インク等も容易に入手できるため、紙幣の真贋を見極めにくくなっている。
【０００６】
一方、盗難に対しては、紙幣等を金庫に保管したり、ＡＴＭ（自動取引装置）などでは警報装置や監視装置を用いて防犯している（例えば、特許文献３参照。）。
【０００７】
しかし、最近では金庫ごと盗まれたり、重機を使ってＡＴＭを破壊して紙幣を盗む事件が頻発しており、盗難に対する有効な解決策が強く求められている。
【特許文献１】特開平６−６０２４３号公報
【特許文献２】特開２００１−１２６１０７号公報
【特許文献３】特開平９−１８５７５１号公報
【発明の開示】
【発明が解決しようとする課題】
【０００８】
本発明の目的は、上記事情に鑑み、偽造紙葉類か否かの判定に役立ち、かつ、盗難紙幣の発見が容易になるとともに盗難の抑止効果もある記番号付き紙葉類用の防犯管理システムを提供することにある。
【課題を解決するための手段】
【０００９】
上記目的を達成するために、請求項１の発明は、サーバー装置と複数のクライアント装置とが通信回線によって通信可能に接続されており、各クライアント装置は、それぞれ異なる識別番号が付されており、少なくとも記番号付き紙葉類の記番号および特定記番号消去指令ならびに盗難された紙葉類の記番号をサーバー装置へ送信可能な情報送信部と、サーバー装置からの情報を受信して出力可能な情報出力部とを具備し、サーバー装置は、各クライアント装置から紙葉類の記番号を受信した場合には当該記番号を識別番号と関連付けて紙葉類登録部へ登録し、かつ、特定記番号消去指令を受信した場合には当該紙葉類登録部から該当する記番号を消去する紙葉類登録制御部と、盗難紙葉類記番号を受信した場合には紙葉類登録部の該当する記番号を消去するとともに当該記番号を識別番号と関連付けて盗難紙葉類登録部へ登録する盗難紙葉類制御部と、紙葉類の記番号を受信する都度に紙葉類登録部に登録されている総べての記番号と照合して一致するものがある場合または盗難紙葉類登録部の総べての記番号と照合して一致するものがある場合にはクライアント装置へ異常発生情報を送信する異常発生判定部と、を具備したことを特徴とする記番号付き紙葉類用の防犯管理システムである。
【００１０】
請求項２の発明は、前記サーバー装置と警察とを通信回線で接続し、異常発生情報を警察にも通報する構成とした記番号付き紙葉類用の防犯管理システムである。
【００１１】
請求項３の発明は、前記通信回線が、インターネット回線、有線電気通信回線、光通信回線および衛星通信回線のいずれかから形成されている記番号付き紙葉類用の防犯管理システムである。
【発明の効果】
【００１２】
請求項１の発明によれば、サーバー装置と複数のクライアント装置とが通信回線によって通信可能に接続されており、サーバー装置は各クライアント装置から紙葉類の記番号を受信する都度に既登録の記番号と照合して一致した場合には偽造紙葉類であると判定し、また盗難紙葉類として登録された記番号と照合して一致した場合には盗難紙葉類であると判定して、クライアント装置へ異常発生情報を送信する構成とされているので、偽造紙葉類か否かの判定に役立ち、かつ、盗難紙幣の発見が容易になるとともに盗難の抑止効果もある。
【００１３】
請求項２の発明によれば、サーバー装置と警察とを通信回線で接続し、異常発生情報を警察にも通報する構成としたので、請求項１の発明の場合と同様な効果を奏する他、紙幣に係る犯罪を一段と確実に解決できる。
【００１４】
請求項３の発明によれば、通信回線が、インターネット回線、有線電気通信回線、光通信回線および衛星通信回線のいずれかから形成されているので、請求項１又は２の発明と同様な効果を奏する他、一段と適用範囲の拡大を図ることができる。
【発明を実施するための最良の形態】
【００１５】
以下、本発明の実施形態を図面を参照して説明する。
【００１６】
本発明に係る記番号付き紙葉類用の防犯管理システム１は、図１に示すように、サーバー装置２０と複数のクライアント装置１０とが通信回線３０によって通信可能に接続されており、サーバー装置２０は各クライアント装置１０から紙葉類の記番号を受信する都度に既登録の記番号と照合して一致した場合には偽造紙葉類であると判定し、また盗難紙葉類として登録された記番号と照合して一致した場合には盗難紙葉類であると判定して、それぞれクライアント装置１０へ異常発生情報を送信する構成とされている。換言すれば、本防犯管理システム１は、記番号付き紙葉類（紙幣等）の記番号を管理記録することにより、偽造紙葉類および盗難紙葉類の発見の容易化および盗難抑止を図るものである。
【００１７】
この実施形態では、記番号付き紙葉類として、現在日本国で一般に流通している紙幣（千円札、二千円札、五千円札、一万円札）が選定されている。サーバー装置２０は、紙幣記番号を一括して記録・照合・管理するセンター（紙幣記番号管理センター）に設置されている。また、クライアント装置１０は、紙幣記番号管理センターと契約を交わした契約者（個人・企業・各種金融機関等）が管理する場所に設置されている。
【００１８】
また、上記通信回線としては、インターネット回線、有線電気通信回線（一般回線、専用回線）、光通信回線および衛星通信回線のいずれかを使用するものとされている。また、紙幣犯罪のより効果的な解決を図るために、サーバー装置２０と警察とを通信回線で接続し、異常発生情報を警察にも通報する構成とされている。
【００１９】
ここで、上記した契約者には、クライアント装置１０に対応した識別番号とパスワードとが上記紙幣記番号管理センターから発行される。なお、契約者が複数の金庫やＡＴＭなどを有し、それぞれにクライアント装置１０を設置する場合には、当該各装置１０ごどに識別番号が発行される。
【００２０】
より具体的には、各クライアント装置１０は、情報送信部と、サーバー装置２０からの情報を受信して出力可能な情報出力部とを具備しており、コンピュータ組織等を利用するものとしている。なお、上記コンピュータ組織の代りに携帯電話のメール機能やＷＥＢ通信機能などを利用してもよい。この実施形態では、各クライアント装置１０は、図２に示すように、制御部１１、キーボード１２、記憶部１３、通信部１４、スキャナ１５および表示部１６等から構成されている。異常発生情報に関する事項は表示部１６を通じて告知される。
【００２１】
上記した情報送信部は、サーバー装置２０へ必要な情報（紙幣の記番号および特定記番号消去指令ならびに盗難された紙幣の記番号など）を送信するための手段であり、紙幣記番号読取手段と、サーバー装置２０と情報の遣り取りをするための通信部１４とから構成されている。
【００２２】
紙幣記番号読取手段は、紙幣の記番号を読み取るためのスキャナ１５およびＯＣＲを含み構成されている。この実施形態では、紙幣記番号読取手段には、紙幣記番号を手入力できるようにキーボード１２も含まれている。銀行等のように大量の紙幣記番号の読み取りがなされる場所では、紙幣記番号読み取りの専用機（例えば、紙幣を自動的に読取部へ搬送して記番号を高速で読み取る自動読取機）で紙幣記番号読取手段を構成してもよい。
【００２３】
なお、ＡＴＭでは、紙幣を計数するときに真贋判定をしているが、その行程で記番号を読み取る方式としてもよい。店舗等では、レジスタにクライアント装置１０を組み込み、当該装置１０を利用して紙幣の記番号を読み取る方式としてもよい。個人の場合には、スキャナを用いて紙幣の記番号の部分を画像読み取りし、その画像データをサーバー装置２０へ送信し、当該サーバー装置２０で画像データをデジタルデータ化（英数字化）する方式を採用してもよい。
【００２４】
なお、大量の紙幣を扱う場合、記番号を読み取り後に束にして、帯封に番号を付けて一括りで扱う。この帯封を破る場合には帯封を破る旨を紙幣記番号管理センターへ通知してもらうか、中の紙幣が記番号読み取りにかけられた場合に帯封が破られたとする。
【００２５】
上記構成の情報送信部は、紙幣記番号読取手段で読み取った紙幣の記番号を一旦記憶してから、そのまま或いは暗号化や圧縮してサーバー装置２０へ送信するものとされている。なお、情報送信部が送信するデータとしては、紙幣の記番号の他、契約者固有の識別番号、契約者のパスワード、出納日時、要件（受け入れ、払い出し、照合、照会等）、受け取り先、払い出し先等がある。
【００２６】
サーバー装置２０は、紙葉類登録部と、紙葉類登録制御部と、盗難紙葉類登録部と、盗難紙葉類制御部と、異常発生判定部とを有し、各クライアント装置１０から送られてくる紙幣の記番号等を記録・照合・管理するものである。この実施形態では、コンピュータ組織を利用して構成されている。
【００２７】
詳しくは、サーバー装置２０は、図３に示すように、制御部２１、キーボード２２、通信部２３、記憶部２４および表示部２７等から構成されている。このサーバー装置２０は、３００ギガバイト程度の記憶容量を有するものとされている。これは、紙幣記番号６×１０＝６０ビット、契約者識別番号３０ビット、パスワード１０ビット，出納日時他２８ビットの計１２８ビット＝１６バイトを一単位とすれば、現在市中に出回っている紙幣が１６０億枚として、３００ギガバイトの記憶容量で対処できることによる。
【００２８】
ここで、紙葉類登録部（２５）は、紙幣の記番号を識別番号等と関連付けて記憶する手段であり、記憶部２４の一部エリアを利用して構成されている。この紙葉類登録部２５には、（イ）記番号を番地とし、入力先のクライアント装置１０の識別番号およびその他の契約者に関連する事項をデータとして記憶する方式、（ロ）識別番号を番地とし、記番号等をデータとして記憶する方式、（ハ）記番号、識別番号等を羅列して記憶する方式、のいずれかで記番号等が記録される。いずれの方式でも記番号等が二重に登録されなかったかをチェックする。また、記録する期間は、一定時間（例えば、１週間）または次に正規に登録されるまでとする。
【００２９】
紙葉類登録制御部は、各クライアント装置１０から紙葉類の記番号を受信した場合には当該記番号を識別番号と関連付けて紙葉類登録部２５へ登録し、かつ、特定記番号消去指令を受信した場合には当該紙葉類登録部２５から該当する記番号を消去する手段であり、制御部２１の一部機能を利用して構成されている。
【００３０】
盗難紙葉類登録部（２６）は、盗難紙葉類記番号を識別番号等と関連付けて記憶する手段であり、記憶部２４の一部エリアを利用して構成されている。記憶方式は上記（イ）〜（ハ）のうちのいずれかが準用される。
【００３１】
盗難紙葉類制御部は、盗難紙葉類記番号を受信した場合には紙葉類登録部２５の該当する記番号を消去するとともに当該記番号を識別番号と関連付けて盗難紙葉類登録部２６へ登録する手段であり、制御部２１の一部機能を利用して構成されている。
【００３２】
異常発生判定部は、紙葉類の記番号を受信する都度に紙葉類登録部２５に登録されている総べての記番号と照合して一致するものがある場合には第１の異常発生情報を、また盗難紙葉類登録部２６の総べての記番号と照合して一致するものがある場合には第２の異常発生情報を、それぞれクライアント装置１０へ送信する手段であり、制御部２１の一部機能を利用して構成されている。なお、この実施形態では、第２の異常発生情報を、該当するクライアント装置１０へ送信した場合、その記番号を公開し、盗難にあった紙幣が使われたときに記録や通報ができるように備えるものとしている。
【００３３】
次に、この実施形態の作用について説明する。
【００３４】
（契約者が企業や銀行等の金融機関である場合）  紙幣を入金・払出し等する段階で、クライアント装置１０を利用して紙幣の記番号等をサーバー装置２０へ送信する。
【００３５】
（イ）入金の場合    入金の場合には、受け入れた紙幣の記番号を、クライアント装置１０を利用してサーバー装置２０へ送信する。サーバー装置２０（詳しくは、紙葉類登録制御部）は、紙幣の記番号を受信すると当該記番号をクライアント装置１０の識別番号と関連付けて紙葉類登録部２５へ登録する。この際、、サーバー装置２０の異常発生判定部は、紙幣の記番号を受信する都度に紙葉類登録部２５に既に登録されている総べての記番号と照合して、一致するものがある場合には第１の異常発生情報を、クライアント装置１０へ送信する。また、盗難紙葉類登録部２６の総べての記番号と照合して、一致するものがある場合には第２の異常発生情報をクライアント装置１０へ送信する。あわせて警察への通報も行う。
【００３６】
クライアント装置１０は、第１，第２の異常発生情報を受信した場合には、例えば表示部１６に「受け取り拒否」を表示したり、盗難登録されている旨を表示する。ＡＴＭで発生した場合には、防犯カメラを使用したり、該当する紙幣を保管して指紋が取れるようにする。なお、盗難登録されている旨が表示された場合に、表示部１６に、紙幣記番号管理センターまたはセンター支部で盗難登録を解除してもらえる旨を表示してもよい。盗難登録の解除は、紙幣の持ち主の身元確認と紙幣の入手経路を明らかにしてもらうことを条件に行う。
【００３７】
（ロ）払出し等する場合    払出し（輸送や保管の場合も含む）する場合には、払い出す紙幣の記番号をサーバー装置２０へ送信する。サーバー装置２０は、受信した記番号の紙幣が銀行等から払い出されたことを記録し、一定期間後（例えば、１週間）に記録を削除する。払い出された紙幣が盗難された旨の通知を受けた場合（クライアント装置１０から送信された盗難紙葉類記番号を受信した場合など）には、紙葉類登録部２５の該当する記番号を消去するとともに当該記番号を識別番号と関連付けて盗難紙葉類登録部２６へ登録する。また、該当する記番号を報道機関やインターネット等を利用して公開し犯罪捜査の情報とする。なお、サーバー装置２０は、盗難紙葉類登録部２６に登録された記番号と一致する記番号を受信した場合には送信者に通知し、注意を促すか、使用拒否を薦める。
【００３８】
（ハ）盗難にあった場合    契約者は盗難にあった場合、クライアント装置１０から盗難紙葉類記番号をサーバー装置２０へ送信する。サーバー装置２０の盗難紙葉類制御部は、盗難紙葉類記番号を受信すると、紙葉類登録部２５の該当する記番号を消去するとともに当該記番号を識別番号と関連付けて盗難紙葉類登録部２６に登録する。なお、契約者から紙幣記番号管理センターへ電話等で盗難の届け出があった場合には、センターは盗難された紙幣の記番号を確認し、当該記番号を識別番号と関連付けてサーバー装置２０の盗難紙葉類登録部２６へ登録する措置を取ることもできる。
【００３９】
（契約者が個人である場合）  上記した銀行等の場合と同様な処理がなされる。すなわち、入金の場合には、入手した紙幣の記番号をクライアント装置１０の紙幣記番号読取手段（スキャナ・ＯＣＲなど）を利用して一枚づつ読み取ってから金庫等に保管する。サーバー装置２０は、記番号を保存し、既に登録されている記番号と照合して重複の有無（紙幣の真贋）を確認し、盗難記録と照合して盗難の有無を確認する。
【００４０】
支払いの場合、支払う紙幣の記番号をサーバー装置２０へ送信する。サーバー装置２０は、その記番号の紙幣が個人から払い出されたことを記録し、記録を消す。これにより、個人の手元に残る紙幣の記番号が特定されるので、盗難にあった場合、紙幣の特定がしやすくなる。
【００４１】
而して、サーバー装置２０と複数のクライアント装置１０とが通信回線３０によって通信可能に接続されており、サーバー装置２０は各クライアント装置１０から紙幣の記番号を受信する都度に既登録の記番号と照合して一致した場合には偽造紙幣であると判定し、また盗難紙葉類として登録された記番号と照合して一致した場合には盗難紙幣であると判定して、クライアント装置１０へ異常発生情報を送信する構成とされているので、偽造紙幣か否かの判定に役立ち、かつ、盗難紙幣の発見が容易になるとともに盗難の抑止効果も有する。
【００４２】
したがって、契約者にとっては、盗難抑止効果を有することから財産の保全を図れるとともに、二次的被害（犯罪者による傷害、家屋等の破損）が抑えられる。また、盗難にあっても損害が賠償される確率が上がる。また、盗難の危険が低下することで、損害保険料率の低減も期待できる。社会全体からみた場合、国民経済の安定化に役立つ。
【００４３】
また、サーバー装置２０と警察とを通信回線で接続し、異常発生情報を警察にも通報する構成としたので、紙幣に係る犯罪を一段と確実に解決できる。
【００４４】
また、通信回線が、インターネット回線、有線電気通信回線、光通信回線および衛星通信回線のいずれかから形成されているので、一段と適用範囲の拡大を図ることができる。
【００４５】
なお、上記実施形態では、本発明の適用対象を紙幣としたが、これに限定されるものではなく、記番号付きの有価証券にも適用できる。
【図面の簡単な説明】
【００４６】
【図１】本発明の全体構成を示すブロック図である。
【図２】クライアント装置の概要を説明するためのブロック図である。
【図３】サーバー装置の概要を説明するためのブロック図である。
【符号の説明】
【００４７】
１  記番号付き紙葉類用の防犯管理システム
１０  クライアント装置
１１  制御部
１２  キーボード
１３  記憶部
１４  通信部
１５  スキャナ
１６  表示部
２０  サーバー装置
２１  制御部
２２  キーボード
２３  通信部
２４  記憶部
２５  紙葉類登録部
２６  盗難紙葉類登録部
３０  通信回線
【図１】
2005135151.tif 000003
【図２】
2005135151.tif 000004
【図３】
2005135151.tif 000005